(57)【要約】      （修正有）【課題】ラケットのガット張設装置の挟持部の高さ調節装置を提供する。【解決手段】基台に立設された支柱ａ上端部にラケットのフレームを保持し、水平方向の回動を可能にしたフレーム保持ステーｂを備え、近接してガットｅの引っ張り水平方向の高さ調節を可能にし、且つガット挟持部ｃ１と緊張レバーｃ２とを有する調節装置を備えたラケットのガット張設装置において、前記ガット挟持部ｃ１の高さ調節装置は、調節装置を結合するためのベース部材１と、結合ベース２を備え、該結合ベースは下向き傾斜状態に前記ガット張設装置の支柱の上方に固着されており、前記結合ベースには前記ベース部材の一端が装着されて上下方向への摺動を可能にしたレール２１が設けられると共に、前記調節装置のベース部材１の高さ調整を可能にした調整部材２３，２４を設けたことを特徴とする。【選択図】図５
0003137693.tif 000002
【実用新案登録請求の範囲】
【請求項１】
基台に立設された支柱上端部にラケットのフレームを保持し、水平方向の回動を可能にしたフレーム保持ステーを備えたガット張設装置を有し、該ガット張設装置に近接して前記ガットの引っ張り水平方向の高さ調節を可能にし、且つガット挟持部と緊張レバーとを有する調節装置を備えたラケットのガット張設装置におけるガット挟持部の高さ調節装置であって、
前記ガット挟持部の高さ調節装置は、調節装置を結合するためのベース部材と、該ベース部材の高さ調節を可能にする結合ベースを備え、該結合ベースは下向き傾斜状態に前記ガット張設装置の支柱の上方に固着されており、前記結合ベースには前記ベース部材の一端が装着されて上下方向への摺動を可能にしたレールが設けられると共に、前記調節装置のベース部材の高さ調整を可能にした調整部材を設けたことを特徴とするラケットのガット張設装置におけるガット挟持部の高さ調節装置。
【請求項２】
前記ベース部材は先端に摺動座が固着されており、該摺動座は姿勢が制御されるようにして前記結合ベースのレールを上下方向に摺動可能であることを特徴とする請求項１に記載のラケットのガット張設装置におけるガット挟持部の高さ調節装置。
【請求項３】
前記摺動座は、斜めにベース部材の一端に固着されることを特徴とする請求項２に記載のラケットのガット張設装置におけるガット挟持部の高さ調節装置。
【請求項４】
前記結合ベースは、レールを結合配設するための対応する一対の側板が設けられていることを特徴とする請求項３に記載のラケットのガット張設装置におけるガット挟持部の高さ調節装置。
【請求項５】
前記調整部材は、一方の側板に内方に進退可能に螺合されたマイクロ調整ネジ杆および他方の側板に内方に進退可能に螺合された調整ネジ杆によって構成されることを特徴とする請求項４に記載のラケットのガット張設装置におけるガット挟持部の高さ調節装置。
【請求項６】
前記摺動座には、それぞれ、前記マイクロ調整ネジ杆と調整ネジ杆に対応する係止板が設けられていることを特徴とする請求項５に記載のラケットのガット張設装置におけるガット挟持部の高さ調節装置。
【考案の詳細な説明】
【技術分野】
【０００１】
本考案は、ラケットのガット張設装置におけるガット挟持部の高さ調節装置に関し、特に、ラケットに張設するガットの品質を保持し、かつ操作が容易であるガット挟持部の高さ調節装置に関する。
【背景技術】
【０００２】
テニスやバドミントンは、精巧な且つ頭脳が要求されるスポーツであり、その球やシャトルを弾く打撃力の強さにより、運動技量を最大限に発揮できる。
また、その道具やラケットのガットのテンションの正確度は、技量を発揮できる主な要因になる。また、ラケットにガットを実装する方式が適切であるかどうかで、ラケットやガットの耐用寿命に大きく影響する。
【０００３】
ラケットのガット張設装置は、主として、基台に立設された支柱ａと、該支柱ａの上部に配設されたラケットのフレーム保持ステーｂと、前記ラケットに張設するガットを挟持し、且つ引張り緊張レバーｃ２を有する挟持部ｃ１を備えた調節装置ｃが配設されている（図１参照）。
【０００４】
前記フレーム保持ステーｂは、３６０度に水平方向の回転が可能で且つ定位置に停止可能な状態になるように、前記支柱ａの上方部に枢着されている。また、調節装置ｃは、挟持部ｃ１と緊張レバーｃ２があり、扁平部を直立させた状態で配設されたベース部材１０に取り付けられている。
前記調節装置ｃのベース部材１０は、該支柱ａに一端が結合され（図２参照）ている。該ベース部材１０は、支柱ａの上方部に固着されており、前記扁平状の直立させたベース部材１０の上端面にはラック１０１が形成され、このラック１０１に調節装置ｃが進退自在に配設されて、変位可能となっている。
【０００５】
使用時にあっては、ラケットフレームｄをフレーム保持ステーｂに組み付けて、次にガットｅの一端をフレームｄに固定し他端を調節装置ｃの挟持部ｃ１に固定し（図２参照）、その後、ガットｅのテンション度をセットし、これにより、緊張レバーｃ２を回転することにより、ガットｅが、設定されたテンション張力数値になる。上記の作業を繰り返すことで、ラケットフレームｄの形成した所定間隔の貫通孔を介して縦方向と横方向のガットｅが貫設して張設される。
【０００６】
上記の従来の構造におけるラケットのガット張設装置におけるガット挟持部の高さ調節装置は、次のような欠点がる。
１、ラケットフレームｄやガットｅにダメージを与えてしまう構成となっている。即ち、各メーカのラケットフレームｄの厚さは必ずしも同じではなく、且つフレーム保持ステーｂと調節装置ｃと、間の水平方向の高さが一定でないため、張設しようとするガットｅを調節装置ｃの緊張レバーｃ１とラケットフレームｄとの間に貫通孔を介して張設すると、ラケットフレームｄと外側のガットｅとの間に、図２に示すように夾角θが形成され、この状態でガットｅが引張られると、ラケットフレームｄの貫通孔部に均一でない摩擦力が生じ、テンション張力数値が正確でなくなる。また、ラケットフレームｄの貫通孔とガットｅとの間に、摩擦や磨耗によって、ガットｅに損傷を与えたり、断裂になる恐れがある。また、ガットが断裂しなくても、球を撃つ時、ガットｅの損傷部分によって球に損傷を与えたり、ガットｅが断裂し易くなり、ラケットフレームｄやガットｅの耐用寿命が悪くなる。
また、ガットｅのテンション張力数値が正確でないため、ラケットの使用による球技に支障を生じさせ、充分な実力が発揮できなくなる。
２．ラケットフレームｄにガットを張設する際に、ラケットフレームｄを横方向に方向変更する時、調節装置ｃと互いに干渉する。
即ち、各メーカのラケットフレームｄの厚さが、必ずしも同じではなく、フレーム保持ステーｂと調節装置ｃとの設置高さが同一で調整できないため、ラケットフレームｄの向きを方向変更する時、ラケットフレームｄのグリップｄ１が、調節装置ｃの緊張レバーｃ１と干渉し（図３と図４のように）、３６０度を回転することができなくなり、作業が不便である。
【考案の開示】
【考案が解決しようとする課題】
【０００７】
本考案の主な目的は、ラケットのフレームを保持するフレーム保持ステーを備えたガット張設装置と、ガット張設装置に近接して前記ガットの引っ張り水平方向の高さ調節を可能にし、且つガット挟持部と緊張レバーとを有する調節装置を備えたラケットのガット張設装置におけるガット挟持部の高さ調節装置を提供するものであって、前記ガット挟持部の高さ調節装置は、調節装置を結合するためのベース部材と、該ベース部材の高さ調節を可能にする結合ベースによって、前記調節装置のベース部材の高さ調整を可能にした調整部材を設けたことにある。
上記構成により、ラケットフレームと調節装置の挟持部との間に張設されたガットを、水平状態に調整し、これにより、ラケットフレームとガットとの間の摩擦や磨耗を防止し、また、ガットのテンション張力数値をより正確にする。また、ベース部材や調節装置の高さを調整可能であるため、ラケットフレームのグリップを方向変更する時、調節装置の挟持部と干渉しないようにしたラケットのガット張設装置におけるガット挟持部調節装置を提供する。
【課題を解決するための手段】
【０００８】
本考案の請求項１に係る考案は、基台に立設された支柱上端部にラケットのフレームを保持し、水平方向の回動を可能にしたフレーム保持ステーを備えたガット張設装置を有し、該ガット張設装置に近接して前記ガットの引っ張り水平方向の高さ調節を可能にし、且つガット挟持部と緊張レバーとを有する調節装置を備えたラケットのガット張設装置におけるガット挟持部の高さ調節装置であって、前記ガット挟持部の高さ調節装置は、調節装置を結合するためのベース部材と、該ベース部材の高さ調節を可能にする結合ベースを備え、該結合ベースは下向き傾斜状態に前記ガット張設装置の支柱の上方に固着されており、前記結合ベースには前記ベース部材の一端が装着されて上下方向への摺動を可能にしたレールが設けられると共に、前記調節装置のベース部材の高さ調整を可能にした調整部材を設けたことを特徴とする。
【０００９】
請求項２の考案は、請求項１に記載のラケットのガット張設装置におけるガット挟持部の高さ調節装置において、前記ベース部材は先端に摺動座が固着されており、該摺動座は姿勢が制御されるようにして前記結合ベースのレールを上下方向に摺動可能であることを特徴とする。
【００１０】
請求項３の考案は、請求項２に記載のラケットのガット張設装置におけるガット挟持部の高さ調節装置において、前記摺動座は、斜めにベース部材の一端に固着されることを特徴とする。
【００１１】
請求項４の考案は、請求項３に記載のラケットのガット張設装置におけるガット挟持部の高さ調節装置において、前記結合ベースは、レールを結合配設するための対応する一対の側板が設けられていることを特徴とする。
【００１２】
請求項５の考案は、請求項４に記載のラケットのガット張設装置におけるガット挟持部の高さ調節装置において、前記調整部材は、一方の側板に内方に進退可能に螺合されたマイクロ調整ネジ杆および他方の側板に内方に進退可能に螺合された調整ネジ杆によって構成されることを特徴とする。
【００１３】
請求項６の考案は、請求項５に記載のラケットのガット張設装置におけるガット挟持部の高さ調節装置において、前記摺動座には、それぞれ、前記マイクロ調整ネジ杆と調整ネジ杆に対応する係止板が設けられていることを特徴とする。
【考案の効果】
【００１４】
上記本考案の構成によれば、ベース部材と結合ベースとが含有され、該結合ベースが、斜めにラケットのガット張設装置の支柱の上方に固着され、結合ベースに、レールが設けられ、また、ベース部材の一端が、レールに枢着され、ベース部材が、その一端を利用して、レールを摺動することにより、調節装置の高さを調整でき、これにより、ラケットフレームと外側ガットとの間に夾角が生じるのを防止し、また、ラケットフレームを方向変更する時、調節装置に干渉するなどの諸欠点を解消できる。
【考案を実施するための最良の形態】
【００１５】
以下、本考案のラケットのガット張設装置におけるガット挟持部の高さ調節装置の一実施例について説明する。
【実施例】
【００１６】
図５は本考案のラケットのガット張設装置におけるガット挟持部の高さ調節装置における一実施例を示す分解斜視図である。
【００１７】
本考案に係わるガット挟持部の高さ調節装置は、ベース部材１と結合ベース２とから構成される。また、ラケットのガット張設装置は、主として、支柱ａとフレーム保持ステーｂと調節装置ｃ（上記の従来のものと同じであるため、説明を省略する）とから構成されている。また、前記調節装置ｃは、挟持部ｃ１と緊張レバーｃ２がある。
【００１８】
前記ベース部材１（図５と６を参照）は、調節装置ｃを結合するためのもので、扁平板状体からなり、直立させた細幅部の上端部にはラック１１が形成されている。前記調節装置ｃは、前記ラック１１に係合されて移動変位するようになっている。また、ベース部材１の一端には摺動座１２が固設され、該摺動座１２が、やや斜め下向きにベース部材１に固着される。前記摺動座１２の断面は、冂形状で、摺動座１２の対角に、１対の係止板１２１が設けられている（図５参照）。
【００１９】
前記結合ベース２（図５と６を参照）は、ラケットのガット張設装置の支柱ａの上方に斜め下向きに固定されている。前記結合ベース２は長手方向の両端部を折曲げた一対の側板２２を有し、この側板２２間の中央部に棒状のレール２１が設けられており、レール２１には摺動子２１ａが設けられ、この摺動子２１ａに前記ベース部材１の摺動座１２が装着固定されるため、前記ベース部材１はレール２１に沿って、斜め方向の上下方向に移動変位でき（図７参照）、これにより、ベース部材１に結合された調節装置ｃ及びガット挟持部の高さを調整することができる。
【００２０】
また、前記各側板２２には内方へ向かってそれぞれ調整部材であるマイクロ調整ネジ杆２３と調整部材である調節ネジ杆２４が螺合配置されており、該マイクロ調整ネジ杆２３と調整ネジ杆２４は、それぞれ、前記摺動座１２の係止板１２１に対応している。
なお、前記摺動座１２やベース部材１及び調節装置の高さの微調整は、電子式の制御システムによれば、より正確的に定位することもできる。
【００２１】
以上のような本考案の構成によれば、使用時にあっては、ラケットフレームｄをフレーム保持ステーｂにセットし、ガットｅを、調節装置ｃの挟持部ｃ１とラケットフレームｄの間に固定し（図６参照）、その後、ガットｅのテンション張力数値をセットする。この時、ガットｅが挟持状態であるため、調節装置ｃにより、ベース部材１の摺動座１２が、レール上を斜めに上方へ移動変位し、ラケットフレームｄと挟持部ｃ１との間に張設されたガットｅが、ほぼ水平の状態になる。また、その一方の係止板１２１が、結合ベース２のマイクロ調整ネジ杆２３に当接する。その後、マイクロ調整ネジ杆２３を螺合回転することにより、微調整作業を行い、これにより、ガットｅが水平になる。その後、緊張レバーｃ２を回動させることでガットｅのテンション張力数値を設定する。上記の作業により、ラケットフレームｄの縦方向や横方向のガットｅが、それぞれ配設される。
【００２２】
ラケットフレームｄをガットｅに向かうように回動する場合、この時、ラケットフレームｄ外のガットｅが、やや弛むため、摺動座１２が、斜めに下のもう他方の係止板１２１へ変位して結合ベース２の調整ネジ杆２４に当接し（図８参照）、また、ラケットフレームｄを回動する時、グリップｄ１が、調節装置ｃの挟持部ｃ１と互いに干渉することを防止するため、調整ネジ杆２４を逆転して、摺動座１２やベース部材１及び調節装置ｃの高さが更に低くなり、そのため、グリップｄ１が、調節装置ｃの挟持部ｃ１と互いに干渉しなくなり、方向変換が可能にできる。
【００２３】
上記の構成と実施形態から、次の利点が得られる。
１．ガットｅやラケットフレームｄにダメージを与えない：
ベース部材１と調節装置ｃの高さが調整可能であるため、異なる高さのラケットフレームｄに応じて調節でき、また、ラケットフレームｄと挟持部ｃ１との間に貫設されたガットｅが、水平状態になり、即ち、ラケットフレームｄとガットｅとの間に、角度が形成されないため、ガットｅが、ラケットフレームｄの貫通穴に接触することがないため、ラケットフレームｄとガットｅとの間に、摩擦や磨耗が発生せず、ガットを貫設する作業が、より理想的になり、また、ガットのテンション張力数値がより正確になる。
【００２４】
２．ラケットフレームｄを方向変更する時、調節装置ｃの挟持部ｃ１と干渉しない：
即ち、調整ネジ杆２４を逆転することにより、摺動座１２やベース部材１及び調節装置ｃの高さが更に下げられるため、ラケットフレームｄのグリップｄ１が、調節装置ｃの挟持部ｃ１と干渉しないことにより、容易に方向変更する。
また、摺動座１２やベース部材１及び調節装置ｃの高さの微調整は、電子式の制御システムにより正確的に定位しても良い。
【００２５】
以上は、本考案のより良い実施例を示したのみであり、本考案はこれによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２６】
【図１】従来のラケットのガット張設装置を示す分解斜視図。
【図２】従来のラケットのガット張設装置におけるラケットフレームと外側ガットの間に夾角がある欠点状態を示す側面図。
【図３】従来のラケットのガット張設装置のラケットフレームを方向変更した後、そのグリップが、調節装置の挟持部と干渉する実施欠点状態を示す平面図。
【図４】図３の側面図。
【図５】本考案のラケットのガット張設装置におけるガット挟持部の高さ調節装置における一実施例を示す分解斜視図。
【図６】本考案の組み立て状態を示す側面図。
【図７】本考案の組み立て状態の作動要部拡大側面図。
【図８】本考案の他の組み立てる時の側面図（ベース部材が下へ変位した後）。
【符号の説明】
【００２７】
１０      ベース部材
１０１    ラック
ａ        支柱
ｂ        フレーム保持ステー
ｃ        調節装置
ｃ１      挟持部
ｃ２      緊張レバー
ｄ        ラケットフレーム
ｄ１      グリップ
ｅ        ガット
１        ベース部材
１１      ラック
１２      摺動座
１２１    係止板
２        結合ベース
２１      レール
２２      側板
２３      マイクロ調整ネジ杆（調節部材）
２４      調整ネジ杆（調節部材）
ａ        支柱
ｂ        フレーム保持ステー
ｃ        調節装置
ｃ１      挟持部
ｃ２      緊張レバー
ｄ        ラケットフレーム
ｄ１      グリップ
ｅ        ガット
【図１】
0003137693.tif 000003
【図２】
0003137693.tif 000004
【図３】
0003137693.tif 000005
【図４】
0003137693.tif 000006
【図５】
0003137693.tif 000007
【図６】
0003137693.tif 000008
【図７】
0003137693.tif 000009
【図８】
0003137693.tif 000010